(57)【特許請求の範囲】
【請求項１】
両面原稿の表面と裏面とを読込んで画像データを作成することが可能な読取部と、
前記表面と前記裏面とで異なる画質を設定することが可能な設定手段と、
前記表面と前記裏面とで異なる画質の組合せをユーザが設定することができる操作部と、
表面と裏面との画質の組合せを、原稿の紙種に対応して記憶する記憶手段と、を備え、
前記設定手段は、
前記読取部で作成される画像データの画質を、前記操作部で設定された前記表面と前記裏面の画質に切替え、
前記記憶手段に記憶された原稿の紙種に対応する表面と裏面との画質の組合せに応じて、前記表面と前記裏面とで異なる画質を設定するものであり、
前記両面原稿の紙種は、各面の反射光量または各面の下地色を含む情報に基づいて特定される紙種である、ことを特徴とする、画像読取装置。
【請求項２】
前記読取部で原稿の両面を読取る時に、裏写り防止を実施する実施手段をさらに備えた、請求項１に記載の画像読取装置。
【請求項３】
前記実施手段は、原稿の表面と裏面との両方の画像の濃度差が所定の値を超える領域に対し裏写り防止処理を行なう、請求項２に記載の画像読取装置。
【請求項４】
前記実施手段は、原稿の表面と裏面とで設定しようとする画質で読取られる画像が、反対面の画像の影響を受ける場合に、その設定を禁止する、その設定内容の変更に係る処理を行う、または設定内容の変更を促す、請求項２に記載の画像読取装置。
【請求項５】
前記設定内容の変更は、紙種変更、または片面コピー、Ｎｉｎ１、週刊誌綴じその他の出力方法の変更である、請求項４に記載の画像読取装置。
【請求項６】
前記実施手段は、原稿の表面と裏面とにおける、画像の濃度、色相、およびカラーバランスの少なくとも１つに基づいて、読取られる画像が、反対面の画像の影響を受けるか否かを判定する、請求項４または５に記載の画像読取装置。
【請求項７】
前記設定に基づいて、原稿の置き方を表示する表示手段をさらに備えた、請求項１から６のいずれかに記載の画像読取装置。
【請求項８】
前記読取部で読取った原稿の表面と裏面との画像に基づいて、原稿種類を判別する原稿種類判別部をさらに備え、
前記設定手段は、前記原稿種類判別部での判別結果に従い、前記表面と前記裏面とで異なる画質を設定する、請求項１から７のいずれかに記載の画像読取装置。
【請求項９】
画像読取部で読取った原稿の表面と裏面との画像に基づいて、原稿の紙種を判別する原稿紙種判別部をさらに備え、
前記設定手段は、前記原稿紙種判別部での判別結果に従い、前記表面と前記裏面とで異なる画質を設定する、請求項１から８のいずれかに記載の画像読取装置。
【請求項１０】
前記読取部で読取った画像から文字を識別する文字識別部と、
前記文字識別部で識別された文字を文字識別情報として格納する格納部とをさらに備えた、請求項１から９のいずれかに記載の画像読取装置。
【請求項１１】
前記設定手段で、画質として写真モードが設定されている場合には、前記文字識別部の機能を禁止する、請求項１０に記載の画像読取装置。
【請求項１２】
前記読取部で読取った画像の表面と裏面とが共に文字部となる場合は、前記設定手段で所定の濃度を超える設定が行なわれることを禁止する、請求項１０または１１に記載の画像読取装置。
【請求項１３】
前記読取部で読取った画像の表面と裏面とで色文字が識別された場合は、色相またはカラーバランスの設定を禁止する、請求項１０から１２のいずれかに記載の画像読取装置。
【請求項１４】
請求項１から１４のいずれかに記載の画像読取装置と、
前記読取部で作成された画像データに基づいて、用紙の両面に画像を形成することが可能な画像形成部とを備えた、画像形成装置。
【請求項１５】
両面原稿の表面と裏面とを読込んで画像データを作成することが可能な読取部と、
前記表面と前記裏面とで異なる画質の組合せをユーザが設定することができる操作部と、
表面と裏面との画質の組合せを、原稿の紙種に対応して記憶する記憶手段と、を備えた画像読取装置の制御方法であり、
前記表面と前記裏面とで異なる画質を設定する設定ステップと、
前記読取部で作成される画像データの画質を、前記操作部で設定された前記表面と前記裏面の画質に切替える切替ステップと、を備え、
前記設定ステップは、
前記記憶手段に記憶された原稿の紙種に対応する表面と裏面との画質の組合せに応じて、前記表面と前記裏面とで異なる画質を設定するステップであり、
前記両面原稿の紙種は、各面の反射光量または各面の下地色を含む情報に基づいて特定される紙種である、ことを特徴とする、画像読取装置の制御方法。
【請求項１６】
前記読取部で原稿の両面を読取る時に、裏写り防止を実施する裏写り防止ステップを、さらに備え、
前記裏写り防止ステップは、原稿の表面と裏面とで設定しようとする画質で読取られる画像が、反対面の画像の影響を受ける場合に、その設定を禁止する、その設定内容の変更に係る処理を行う、または設定内容の変更を促す、ステップであることを特徴とする、請求項１５に記載の画像読取装置の制御方法。
【請求項１７】
両面原稿の表面と裏面とを読込んで画像データを作成することが可能な読取部と、
前記表面と前記裏面とで異なる画質の組合せをユーザが設定することができる操作部と、
表面と裏面との画質の組合せを、原稿の紙種に対応して記憶する記憶手段と、を備えた画像読取装置の制御プログラムであって、
前記表面と前記裏面とで異なる画質を設定する設定ステップと、
前記読取部で作成される画像データの画質を、前記操作部で設定された前記表面と前記裏面の画質に切替える切替ステップと、をコンピュータに実行させ、
前記設定ステップは、
前記記憶手段に記憶された原稿の紙種に対応する表面と裏面との画質の組合せに応じて、前記表面と前記裏面とで異なる画質を設定するステップであり、
前記両面原稿の紙種は、各面の反射光量または各面の下地色を含む情報に基づいて特定される紙種である、ことを特徴とする、画像読取装置の制御プログラム。
【請求項１８】
前記読取部で原稿の両面を読取る時に、裏写り防止を実施する裏写り防止ステップを、さらにコンピュータに実行させ、
前記裏写り防止ステップは、原稿の表面と裏面とで設定しようとする画質で読取られる画像が、反対面の画像の影響を受ける場合に、その設定を禁止する、その設定内容の変更に係る処理を行う、または設定内容の変更を促す、ステップであることを特徴とする、請求項１７に記載の画像読取装置の制御プログラム。
【発明の詳細な説明】
【技術分野】
【０００１】
この発明は、画像読取装置、画像形成装置、画像読取装置の制御方法、および画像読取装置の制御プログラムに関し、特に、両面原稿の表面と裏面とを読込むことが可能な読取部を備えた画像読取装置、画像形成装置、画像読取装置の制御方法、および画像読取装置の制御プログラムに関する。
【背景技術】
【０００２】
電子写真式の画像形成装置（ＭＦＰ（Ｍｕｌｔｉ  Ｆｕｎｃｔｉｏｎ  Ｐｅｒｉｐｈｅｒａｌ）、ファクシミリ装置、複写機など）には、両面原稿の表面と裏面とを読込むことが可能な読取部を備えたものがある。
【０００３】
下記特許文献１は、表と裏との画質の差を無くした読取りを可能とするために、複数のモードを選択可能な画像読取装置を開示している。
【特許文献１】特開２００７−８２０３３号公報
【発明の開示】
【発明が解決しようとする課題】
【０００４】
従来の技術においては、読取時に、原稿の表面と裏面とで同一の画像モード（読取画質）が設定されていた。両面原稿によっては、表と裏とで光沢の有無に差異がある場合があるが、従来の技術ではこのような原稿に対して、表と裏とに適切な画像モードを設定できないという問題があった。
【０００５】
また、紙芝居のように、表は絵が描かれており、裏は文字が記載されている原稿が存在する。このような原稿の表面と裏面とに同一の画像モードが設定されると、ユーザが求める画像が得られない場合があった。
【０００６】
すなわち従来の技術では、表と裏とで画質や内容が異なる原稿を読取りたい場合や、表と裏とで異なる原稿モード（文字モード、写真モード、図形モードなど）をユーザが設定したい場合に、対処できないという問題があった。
【０００７】
この発明はそのような問題点を解決するためになされたものであり、表面と裏面とで適切な画質を設定することができる画像読取装置、画像形成装置、画像読取装置の制御方法、および画像読取装置の制御プログラムを提供することを目的としている。
【課題を解決するための手段】
【０００８】
上記目的を達成するためこの発明のある局面に従うと、画像読取装置は、両面原稿の表面と裏面とを読込んで画像データを作成することが可能な読取部と、表面と裏面とで異なる画質を設定することが可能な設定手段と、表面と裏面とで異なる画質の組合せをユーザが設定することができる操作部と、表面と裏面との画質の組合せを、原稿の紙種に対応して記憶する記憶手段と、を備え、設定手段は、読取部で作成される画像データの画質を、操作部で設定された表面と裏面の画質に切替え、記憶手段に記憶された原稿の紙種に対応する表面と裏面との画質の組合せに応じて、表面と裏面とで異なる画質を設定するものであり、両面原稿の紙種は、各面の反射光量または各面の下地色を含む情報に基づいて特定される紙種である、ことを特徴とする。
【００１２】
好ましくは画像形成装置は、読取部で原稿の両面を読取る時に、裏写り防止を実施する実施手段をさらに備える。
【００１３】
好ましくは実施手段は、原稿の表面と裏面との両方の画像の濃度差が所定の値を超える領域に対し裏写り防止処理を行なう。
【００１４】
好ましくは実施手段は、原稿の表面と裏面とで設定しようとする画質で読取られる画像が、反対面の画像の影響を受ける場合に、その設定を禁止する、その設定内容の変更に係る処理を行う、または設定内容の変更を促す。
【００１５】
好ましくは設定内容の変更は、紙種変更、または片面コピー、Ｎｉｎ１、週刊誌綴じその他の出力方法の変更である。
【００１６】
好ましくは実施手段は、原稿の表面と裏面とにおける、画像の濃度、色相、およびカラーバランスの少なくとも１つに基づいて、読取られる画像が、反対面の画像の影響を受けるか否かを判定する。
【００１７】
好ましくは画像形成装置は、設定に基づいて、原稿の置き方を表示する表示手段をさらに備える。
【００１８】
好ましくは画像形成装置は、読取部で読取った原稿の表面と裏面との画像に基づいて、原稿種類を判別する原稿種類判別部をさらに備え、設定手段は、原稿種類判別部での判別結果に従い、表面と裏面とで異なる画質を設定する。
【００１９】
好ましくは画像形成装置は、画像読取部で読取った原稿の表面と裏面との画像に基づいて、原稿の紙種を判別する原稿紙種判別部をさらに備え、設定手段は、原稿紙種判別部での判別結果に従い、表面と裏面とで異なる画質を設定する。
【００２０】
好ましくは画像形成装置は、読取部で読取った画像から文字を識別する文字識別部と、文字識別部で識別された文字を文字識別情報として格納する格納部とをさらに備える。
【００２１】
好ましくは画像形成装置は、設定手段で、画質として写真モードが設定されている場合には、文字識別部の機能を禁止する。
【００２２】
好ましくは画像形成装置は、読取部で読取った画像の表面と裏面とが共に文字部となる場合は、設定手段で所定の濃度を超える設定が行なわれることを禁止する。
【００２３】
好ましくは画像形成装置は、読取部で読取った画像の表面と裏面とで色文字が識別された場合は、色相またはカラーバランスの設定を禁止する。
【００２４】
この発明の他の局面に従うと画像形成装置は、上述のいずれかに記載の画像読取装置と、読取部で作成された画像データに基づいて、用紙の両面に画像を形成することが可能な画像形成部とを備える。
【００２５】
この発明のさらに他の局面に従うと、両面原稿の表面と裏面とを読込んで画像データを作成することが可能な読取部と、表面と裏面とで異なる画質の組合せをユーザが設定することができる操作部と、表面と裏面との画質の組合せを、原稿の紙種に対応して記憶する記憶手段と、を備えた画像読取装置の制御方法は、表面と裏面とで異なる画質を設定する設定ステップと、読取部で作成される画像データの画質を、操作部で設定された表面と裏面の画質に切替える切替ステップと、を備え、設定ステップは、記憶手段に記憶された原稿の紙種に対応する表面と裏面との画質の組合せに応じて、表面と裏面とで異なる画質を設定するステップであり、両面原稿の紙種は、各面の反射光量または各面の下地色を含む情報に基づいて特定される紙種である、ことを特徴とする。
好ましくは画像読取装置の制御方法は、読取部で原稿の両面を読取る時に、裏写り防止を実施する裏写り防止ステップを、さらに備え、裏写り防止ステップは、原稿の表面と裏面とで設定しようとする画質で読取られる画像が、反対面の画像の影響を受ける場合に、その設定を禁止する、その設定内容の変更に係る処理を行う、または設定内容の変更を促す、ステップであることを特徴とする。
【００２６】
この発明のさらに他の局面に従うと、両面原稿の表面と裏面とを読込んで画像データを作成することが可能な読取部と、表面と裏面とで異なる画質の組合せをユーザが設定することができる操作部と、表面と裏面との画質の組合せを、原稿の紙種に対応して記憶する記憶手段と、を備えた画像読取装置の制御プログラムは、表面と裏面とで異なる画質を設定する設定ステップと、読取部で作成される画像データの画質を、操作部で設定された表面と裏面の画質に切替える切替ステップと、をコンピュータに実行させ、設定ステップは、記憶手段に記憶された原稿の紙種に対応する表面と裏面との画質の組合せに応じて、表面と裏面とで異なる画質を設定するステップであり、両面原稿の紙種は、各面の反射光量または各面の下地色を含む情報に基づいて特定される紙種である、ことを特徴とする。
好ましくは画像読取装置の制御プログラムは、読取部で原稿の両面を読取る時に、裏写り防止を実施する裏写り防止ステップを、さらにコンピュータに実行させ、裏写り防止ステップは、原稿の表面と裏面とで設定しようとする画質で読取られる画像が、反対面の画像の影響を受ける場合に、その設定を禁止する、その設定内容の変更に係る処理を行う、または設定内容の変更を促す、ステップであることを特徴とする。
【発明の効果】
【００２７】
これらの発明に従うと、表面と裏面とで適切な画質を設定することができる画像読取装置、画像形成装置、画像読取装置の制御方法、および画像読取装置の制御プログラムを提供することが可能となる。
【発明を実施するための最良の形態】
【００２８】
［第１の実施の形態］
【００２９】
以下、本発明の第１の実施の形態における画像読取装置について説明する。
【００３０】
画像読取装置は、画像形成装置に搭載されることもできるし、スキャナとして単体で動作することもできる。
【００３１】
画像読取装置を備えた画像形成装置は、同時に原稿の両面を読取ることが可能な読取部と、原稿の表と裏とで別々の画質を設定することができる操作部と、原稿の表と裏とで別々の画質に応じた画像処理を実施する画像処理部と、画像処理部で設定されたデータに基づいて画像を形成する画像形成部とを備える。
【００３２】
このような構成により、画像読取装置において、両面原稿の表と裏とのそれぞれの画像に対して、適切な画質を設定することが可能となる。また、ユーザが表と裏とで異なる画質を求める場合に対応することができる。
【００３３】
図１は、第１の実施の形態における画像形成装置の概観を示す図である。
【００３４】
図を参照して、画像形成装置は自動原稿送り装置を含む画像読取部１と、画像処理部３と、画像形成部５と、給紙部７と、排紙部９とを備える。
【００３５】
画像形成装置がプリンタとして使用された場合には、画像読取部１で原稿が両面同時読み取りされる。画像処理部３は、表面および裏面の画像のそれぞれに対して異なる画質を設定することができる。画質に応じて画像処理が行なわれる。画像形成部５は、処理された画像を給紙部７から送られてきた紙にプリントする。プリント出力された紙は排紙部９から排出される。
【００３６】
図２は、自動原稿送り装置を含む画像読取部１の構成を示す図である。
【００３７】
自動原稿送り装置を含む画像読取部１は大きくは、読み取りユニット１０３と、原稿搬送装置１０１とで構成される。
【００３８】
読み取りユニット１０３は、第一読み取り位置２０２と、プラテンガラス２０５と、露光装置２０６と、ミラー２０７，２０８，２０９と、レンズ２１１と、ＣＣＤ（Ｃｈａｒｇｅ  Ｃｏｕｐｌｅｄ  Ｄｅｖｉｃｅ）２１３とを含む。
【００３９】
原稿搬送装置１０１は、給紙トレイ２０１と、給紙ローラー２２０と、分離ローラー２２１と、搬送ローラー２２２と、読み取り前ローラー２２３と、読み取り後ローラー２２４と、第二読み取り位置２０３と、ＣＩＳ（Ｃｏｎｔａｃｔ  Ｉｍａｇｅ  Ｓｅｎｓｏｒ）３２０と、反転ローラー２２５と、排紙ローラー２２６と、排出トレイ２０４とを含む。
【００４０】
原稿搬送装置１０１の給紙トレイ２０１に積載された原稿２００は、給紙ローラー２２０で給紙され、分離ローラー２２１で１枚毎に分離され、搬送ローラー２２２および読み取り前ローラー２２３で第一読み取り位置２０２へ搬送される。読み取りユニット１０３は、第一読み取り位置２０２を通過する原稿２００を露光装置２０６で露光し、プラテンガラス２０５、ミラー２０７，２０８，２０９、およびレンズ２１１を通して、ＣＣＤ２１３からＲＧＢデータとして画像データを生成する。第一読み取り位置２０２を通過した原稿２００は、第二読み取り位置２０３へ搬送される。原稿２００は、第二読み取り位置２０３のＣＩＳ３２０により読み取られ、画像データが生成される。第二読み取り位置２０３で原稿２００が読み取られる面は、第一読み取り位置２０２で読み取られる面とは逆側の面である。原稿２００は、第二読み取り位置２０３を通過後、反転ローラー２２５、排紙ローラー２２６よって搬送され、排出トレイ２０４へ排出される。このように画像を読み取ることにより、一回の通紙で両面の画像を同時に読み取ることができる。
【００４１】
ここで、第一読み取り位置２０２においては、原稿２００は搬送ガイド部材によって、プラテンガラスと非接触で搬送されるよう案内される。また、読み取り後ローラー２２４の回転速度は、読み取り前ローラー２２３の回転速度よりも若干速くすることで、原稿２００が引っ張られるようになる。それにより、原稿２００のたるみによるプラテンガラス２０５と原稿２００との接触を防止する。読取位置のプラテンガラス２０５上に紙粉や粘着物などの異物があると、それらは読み取り位置に留まるため、原稿２００の搬送方向に色筋ノイズとして現れる。異物は主に原稿２００とプラテンガラスとの接触によってプラテンガラス上に供給される。上記のように、原稿２００をプラテンガラスに接触させないことによって、これらの異物の供給を防いでいる。
【００４２】
また、図示しないが、原稿搬送装置１０１の給紙トレイ２０１には、給紙時の傾きを防止するためのガイド部材が設けられている。そのガイド部材に連結された位置検出センサと給紙トレイ２０１の搬送方向に設けられた複数の原稿検出部材との組み合わせにより、給紙トレイ２０１上の原稿のサイズが判別可能となっている。
【００４３】
さらに、原稿搬送装置１０１では、ＣＩＳ３２０を使用せずに、片面読み取り後の原稿を反転させて再び第一読み取り位置２０２を通過させ、ＣＣＤ２１３で原稿の裏面も読み取ることが可能になっている。
【００４４】
図３は、図１の画像形成装置に含まれる制御部を示す図である。
【００４５】
制御部３００は、原稿を読み取る画像読取部１と、画像データを圧縮、伸長するなどの処理を行なう画像処理部５と、画像データを用紙などにプリントする画像形成部３０３と、データを記憶させる処理を行なう記憶部３０５と、画像データの印刷処理を制御する画像出力部３０７と、通信回線を通して画像データを送信するファクシミリ制御部３０９と、ＭＦＰと通信回線および他機器との接続を制御するネットワーク接続部３１１と、システム全体を制御するＣＰＵ（中央演算処理装置）３１３と、書き換え不可能な読み出しのみのデータが保存されているＲＯＭ３１５と、データが一時記憶されるＲＡＭ３１７と、データの書き換えが可能である不揮発メモリ３１９およびＨＤＤ（Ｈａｒｄ  Ｄｉｓｋ  Ｄｒｉｖｅ）３２１と、システムの情報を表示する表示部３２３と、システムに処理命令を与えることのできるパネル操作部３２５とを備える。
【００４６】
また、ＣＰＵ３１３内には、判別部３１３ａと、削除部３１３ｂと、制御部３１３ｃと、通報部３１３ｄとが備えられ、ＣＰＵの各処理を担当している。
【００４７】
ファクシミリ制御部３０９は、受信部３０９ａを含む。
【００４８】
さらに、パネル操作部３２５は、原稿表および裏のそれぞれで別の画質（読取モード）を設定することができる条件設定キー３２５ａを備える。
【００４９】
ＣＰＵ３１３を中心に、各モジュールが通信および制御信号に基づいて制御される。ＣＰＵ３１３は、画像読取部１、画像処理部３０１、画像形成部３０３、記憶部３０５、画像出力部３０７、ファクシミリ制御部３０９、ネットワーク接続部３１１、ＲＯＭ３１５、ＲＡＭ３１７、不揮発メモリ３１９、ＨＤＤ３２１、表示部３２３、およびパネル操作部３２５と通信または信号の送受信を実施することで、制御部３００全体を制御する。
【００５０】
画像読取部１で読み取られた画像データは、ＲＡＭ３１７上に確保されたファイルメモリエリアに一時的に格納される。
【００５１】
図４は、画像形成装置の機能構成を示すブロック図である。
【００５２】
画像形成装置は、画像読取部１と、原稿の表面と裏面の読取画質をそれぞれ設定することができる操作部４０１と、それぞれ設定された内容に応じた画像処理を表面と裏面の画像データに対して実施する画像処理部３０１と、処理された画像データを出力する画像形成部４０５とを備えている。
【００５３】
また画像形成装置は、原稿表面と裏面とで設定すべき画質を、原稿種類または紙種に応じて格納する記憶部３０５を備える。
【００５４】
さらに画像形成装置は、読取った画像データから原稿の紙種を判断する紙種判断部４０３ａと、原稿を透過する光量を検出する透過光量検出部４０３ｂと、読取った画像データに基づいて原稿中の各領域を判別する領域判別部４０３ｃと、領域判別部４０３ｃで判別された情報から、原稿の種類を判断する原稿種類判断部４０３ｄとからなる紙種・原稿判断部４０３を具備する。
【００５５】
図５は、記憶部３０５に格納される原稿種類に応じた画質設定、および紙種に応じた画質設定を示す図である。
【００５６】
図５の左に示されるように、原稿種類ごとに設定される画質が格納される。すなわち、原稿が文字／写真原稿であれば原稿１の設定が、原稿が文字原稿であれば原稿２の設定が、原稿が写真原稿であれば原稿３の設定が採用される。ここで、設定は原稿の表と裏とで独自に行なうことが可能である。すなわち、表が文字主体であり、裏が写真主体の原稿であれば、表に対して原稿２の設定が、裏に対して原稿３の設定がなされる。
【００５７】
図５の右に示されるように、原稿の紙の種類ごとに設定される画質が格納される。すなわち、原稿が薄紙１であれば紙１の設定が、原稿が薄紙２であれば紙２の設定が、原稿が厚紙１であれば紙３の設定が採用される。ここでも、画質の設定は原稿の表と裏とで独自に行なうことが可能である。すなわち、表が光沢紙であり、裏が普通紙の原稿であれば、表に対して光沢紙の設定が、裏に対して普通紙の設定がなされる。
【００５８】
原稿種類は、予め登録されている文字／写真、文字、写真以外にも、ユーザが任意に登録することも可能である。同様に、紙種も予め登録されている薄紙や厚紙以外にもユーザが任意に登録することが可能である。
【００５９】
図６は、パネル操作部３２５の液晶タッチパネルに表示される、原稿の表と裏の画質を設定する画面を示す図である。
【００６０】
ここでは、「表」のキーと「裏」のキーとにより、ユーザはいずれかを選んで、その面の画像モードと画像の濃度とを設定することができる。すなわち、表と裏とでそれぞれに、画像モード（ここでは文字原稿か、文字／写真原稿か、写真原稿か、薄文字原稿か）を設定することができる。
【００６１】
また、表と裏とでそれぞれに、画像の読取り濃度（およびコピー時のプリント濃度）を設定することができる。
【００６２】
ＣＣＤセンサやＣＩＳの画像をメモリに格納する際、または出力（印刷など）する際、設定された画質に合わせて画像データの変換が行なわれる。たとえばＲＧＢから別の色空間に変換が行なわれるときに、設定された画質に基づいてデータ変換が行なわれる。
【００６３】
図７は、両面の画質の設定後に液晶タッチパネルに表示される、原稿の置き方を説明するメッセージ表示画面を示す図である。
【００６４】
裏と表とで異なる画質がセットされたときには、原稿が表裏で正しく置かれる必要がある。このため、スキャン前に図７のような画面が表示され、原稿の置き方についてユーザに説明がなされる。
【００６５】
図７の画面は、操作部で、表面と裏面とでの少なくとも一方の画質設定が実施された場合の表示画面であり、原稿の設定に応じて表面を上向きに原稿置き部材に設定するよう促すメッセージが表示されている。ここでは、表面を上向きに設定することを示すメッセージの例を示しているが、原稿搬送装置の構成に応じて裏面を上向きに設定することを示すメッセージが表示される。
【００６６】
このような表示により、例えば表が光沢紙、裏が普通紙の原稿などを処理するときに、誤って裏表が逆になることが防止される。
【００６７】
図８は、画像形成装置のコピー時の動作を示すフローチャートである。
【００６８】
ステップＳ１０１において、両面コピー（両面の原稿画像を読取って、それを用紙の両面に複写するコピー）であるかを判定する。ＹＥＳであれば、ステップＳ１０３で原稿の予備スキャンが行なわれ、裏写り防止調整（図９）が実施される。その後、ステップＳ１０５で原稿からの画像の両面読込みが行なわれ、画像形成処理が実施され、ステップＳ１０７で画像が出力される。
【００６９】
片面コピーである場合（Ｓ１０１でＮＯ）は、裏写り防止調整を実施しないで、画像形成処理および画像出力を実施する。
【００７０】
裏写りとは、読取った画像を出力（印刷など）し、出力画像を見たときに、原稿の裏側の画像が気になる程度に写り込むこと（またはその印刷物をさらにコピーしたときに裏写りが発生すること）をいう。裏写り防止調整とは、そのような写り込みを防止するための処理である。
【００７１】
なお、上述のように、裏写り防止調整は予備スキャンで得られた画像によって行なってもよいし、裏写り防止調整で行なうスキャンを本スキャンとしてもよい。すなわちこの場合、ステップＳ１０５ではスキャンが行なわれず、裏写り防止調整で得られた画像に基づいて画像形成が行なわれる。
【００７２】
図９は、図８の裏写り防止調整処理（Ｓ１０３）の内容を示すフローチャートである。
【００７３】
裏写り防止を実施するために、ステップＳ２０１で原稿のスキャンを行ない、表面と裏面との画像データの濃度差を算出する。ここでは、表面の画像データの平均濃度と、裏面の画像データの平均濃度との差を算出してもよいし、１ページ内で領域判別を実施し、表裏の各領域での平均濃度の差を算出してもよい。例えば、表裏の各文字領域での平均濃度の差を算出してもよい。
【００７４】
ステップＳ２０３において、算出された濃度差が所定値ａより大きいかを判定する。ＹＥＳであれば、ステップＳ２０５で裏写り防止処理が実施される。
【００７５】
裏写り防止処理とは、表と裏とで設定された濃度のいずれかを無効にする、または両方を無効にする処理である。例えば、画質設定で濃度が濃い側に設定されていても、デフォルトの状態にリセットする（画質の変更を禁止する）ものである。これにより、読取り側とは反対の面の画像が、読取り画像に写り込むことが防止される。
【００７６】
なお、裏写り防止処理としては、表と裏とで設定された濃度を、逆の面が写り込まない程度に薄くする処理を実行してもよい。
【００７７】
また、裏写り防止処理は、裏写りが生じる可能性がある領域のみに対して行なってもよい。たとえば、表と裏とで用紙の同じ位置に文字がある領域などである。
【００７８】
［第２の実施の形態］
【００７９】
本発明の第２の実施の形態における画像形成装置のハードウェア構成は、第１の実施の形態におけるそれと同じであるためここでの説明は繰り返さない。
【００８０】
本実施の形態における画像形成装置も、表面および裏面で異なる画質の設定を行なうことが可能である。表面および裏面での画質設定の組み合わせでは、正常な画質とならない場合に、その組み合わせが禁止される。
【００８１】
図１０は、第２の実施の形態における画像形成装置の実行する画像設定内容の組み合わせ禁止（組禁）処理を示すフローチャートである。
【００８２】
ステップＳ３０１において表面の、ステップＳ３０３において裏面のそれぞれの画質設定の内容（画質変更の内容）が取得される。ステップＳ３０５において、表と裏のそれぞれで設定された画質が、他方に影響を及ぼす組み合わせとなっているかを判断する。
【００８３】
影響を及ぼす組み合わせの場合（Ｓ３０５でＹＥＳ）は、ステップＳ３０７で、設定に応じて、組禁とするかを判定する。
【００８４】
ステップＳ３０７でＹＥＳであれば、ステップＳ３０９で組禁を実施する。ステップＳ３０７でＮＯであれば、ステップＳ３１１で画質設定の変更を促す表示を行なう。
【００８５】
ステップＳ３０５でＮＯであれば、図１０の処理を終了し、設定された画質で原稿の読取り処理を行なう。
【００８６】
図１１は、図１０のステップＳ３０９で表示される組禁を示すメッセージ画面を示す図である。
【００８７】
組禁が実行される際には、先に設定した面（表面または裏面）の設定を優先させても良いし、設定順に関係なく表と裏とのいずれかを優先させるようにしてもよい。さらに、表と裏のいずれの設定も無効にしても良い。
【００８８】
図１２は、図１０のステップＳ３１１で表示される設定変更を促すメッセージ画面を示す図である。
【００８９】
この画面においては、ユーザに対して画質が他方の面に影響を出す可能性がある旨表示される。紙種の変更、または両面コピーから他の出力形態への変更を促す内容が表示される。
【００９０】
図１３は、組禁発生時のメッセージの切り替えを設定するための画面を示す図である。
【００９１】
ここでユーザは、画質の変更に対するメッセージとして、図１１のメッセージを表示するか、図１２のメッセージを表示するか切り替えることが可能である。組禁発生時、この設定に応じて図１１または図１２のメッセージが表示される。
【００９２】
［第３の実施の形態］
【００９３】
本発明の第３の実施の形態における画像読取装置のハードウェア構成は、第１の実施の形態におけるそれと同じであるためここでの説明は繰り返さない。
【００９４】
本実施の形態における画像読取装置も、表面および裏面で異なる画質の設定を行なうことが可能である。表面および裏面での画質設定は、原稿の紙の種類、および原稿の表と裏の領域の種類に応じて切り替えられる。
【００９５】
図１４は、第３の実施の形態における画像読取装置の実行する紙種に基づく画質切り替え処理を示すフローチャートである。
【００９６】
ステップＳ４０１で、原稿の一部（端部）の画像を読込む。ステップＳ４０３で、原稿の透過光量を透過光量検出部４０３ｂにより測定する。これに基づき、ステップＳ４０５で原稿の紙の厚さが測定される。
【００９７】
ステップＳ４０７で、読取られた原稿の画像の解析を行なう。ステップＳ４０９で画像解析に基づき、原稿両面の下地部分の色・濃度のマッチング結果と、透過光量と、紙の厚さとの組み合わせから、紙種を決定する。
【００９８】
ステップＳ４１１において、図５の右のテーブルに基づいて、紙種に基づいて表と裏とで設定する画質が切り替えられる。
【００９９】
図１５は、図１４のステップＳ４０９で用いられる紙種判断テーブルを示す図である。
【０１００】
透過光量と、紙厚と、下地色の組み合わせ（表および裏）とに基づいて、複数の紙種からもっとも近いものが選択される。
【０１０１】
予め登録されている薄紙や厚紙といった紙種以外にも、ユーザは任意に、透過光量と紙厚と下地色との組み合わせで、対応する紙種を登録することが可能である。また、本実施の形態では透過光量、紙厚、および下地色から紙種を判別しているが、紙送りのトルクや、反射光量といった情報で紙種を判別しても良い。
【０１０２】
これにより、紙種に応じてその裏と表とで適切な画質を設定することができる。
【０１０３】
図１６は、第３の実施の形態における画像読取装置の実行する原稿種類に基づく画質切り替え処理を示すフローチャートである。
【０１０４】
ステップＳ４５１において、原稿の表および裏の画像の読込みが行なわれる。ステップＳ４５３において、領域判別部４０３ｃで原稿の表面と裏面との双方の画像に対して領域判別が実施される。これは、画像中の文字領域、写真領域、図画領域などを検出するものである。
【０１０５】
ステップＳ４５５において、その領域判別の結果により原稿種類を決定する。ステップＳ４５７において、図５の左のテーブルに基づいて、決定された原稿種類に応じて表面と裏面との画質の設定を切り替える。
【０１０６】
ここでは、予め登録されている原稿の種類を識別することとしているが、領域判別の各判断パラメータのしきい値を個別に設定し、ユーザが任意に登録した原稿の種類を判別するようにしても良い。
【０１０７】
領域判別としては、一般的に知られている黒文字部、色文字部、白アミ点部、黒アミ点部、高周波数成分、および低周波数成分を検出し、それらの比率に応じて領域を判断する方法を用いても良いし、特殊な原稿を識別するために専用の領域判別方法を登録できるようにしても良い。
【０１０８】
［第４の実施の形態］
【０１０９】
本発明の第４の実施の形態における画像読取装置も、表面および裏面で異なる画質の設定を行なうことが可能である。表面および裏面での画質設定に基づいて、画像の読込みの時点で文字の識別機能の有効／無効を切り替える。
【０１１０】
図１７は、第４の実施の形態における画像読取装置の全体構成を示すブロック図である。
【０１１１】
画像読取装置は、両面原稿の裏表を同時に読取ることが可能な読取部１と、読取った画像から文字部を識別する文字識別部５０１と、識別された文字データを文字の位置と合わせて格納する文字情報格納部５０３と、文字部と判断するレベルを設定したり読取モードや原稿モードを指定する操作部３２５と、設定された読取モードや原稿モードに応じて画像処理を実施する画像処理部３０１とを備えている。
【０１１２】
文字情報格納部５０３において格納される情報は、一般的に文字をコード化した状態であっても良いし、画像データそのものであっても良い。さらに文字の位置については、表面と裏面の文字部に対し、全て１文字毎の座標を持っても良いし、文字列として認識し、文字列の座標として持っても良い。
【０１１３】
図１８は、第４の実施の形態における画像読取装置が実行する文字識別機能禁止処理を示すフローチャートである。
【０１１４】
図を参照して、ステップＳ５０１において原稿モード（設定された画質）を取得する。ステップＳ５０３で、表面が写真モードの設定である場合には、ステップＳ５０５で裏面の文字識別を禁止する。
【０１１５】
またステップＳ５０７で、裏面が写真モードであれば、ステップＳ５０９で表面の文字識別を禁止する。
【０１１６】
写真がプリントされた面は、下地が無い場合が多く、画像濃度も大きい。このため、文字画像の裏面が写真原稿であると、文字の識別性能が劣化し、誤判別が生じやすくなる。このため、写真モードが設定された面の裏側では、文字の識別を禁止するものである。
【０１１７】
なおここでは、一律に一方の面のモード設定に応じて、反対面の文字識別機能を禁止するか否か決めているが、一方の面で文字部と検出された領域の反対面の位置が写真部分であると検出されたときにのみ、その文字部の文字識別機能を禁止するようにしても良い。
【０１１８】
［第５の実施の形態］
【０１１９】
本発明の第５の実施の形態における画像読取装置のハードウェア構成は、第１の実施の形態におけるそれと同じであるためここでの説明は繰り返さない。
【０１２０】
本実施の形態における画像読取装置も、表面および裏面で異なる画質の設定を行なうことが可能である。表面および裏面のそれぞれの文字部の位置などに基づいて、画質設定の変更を許可するか否かが決められる。これにより、文字の画像に裏の画像が写り込むなどの影響が出ることが防止される。
【０１２１】
図１９は、第５の実施の形態における画像読取装置が実行する文字部の画質変更禁止処理を示すフローチャートである。
【０１２２】
ステップＳ６０１において、原稿の両面の画像を読込み、ステップＳ６０３およびＳ６０５で、表面および裏面の文字部を抽出する。ステップＳ６０７で、抽出された文字部の解析を実施し、ステップＳ６０９で全ての文字部をチェックしたかを判定する。
【０１２３】
ステップＳ６０９ですべての文字部をチェックしていない場合は、ステップＳ６１１で表と裏の文字部の位置が同じかを判断する。同じ位置となる場合、ステップＳ６１３で表の文字部の文字属性と、裏の文字部の文字属性とが異なるかを判定する。ＹＥＳであれば、片面の文字が他方の面の文字に、裏写りなどの影響を及ぼす可能性があるため、ステップＳ６１５で画質の変更を禁止とする。
【０１２４】
なおここに「文字属性」とは、黒文字、色文字、白抜き文字、ネガポジ文字（反転文字）などの文字の種類を示す。
【０１２５】
ステップＳ６１１またはＳ６１３でＮＯであれば、ステップＳ６０７に戻り、全ての文字部の解析が終了するまで、次以降の文字部の解析を繰り返す。
【０１２６】
ステップＳ６０９でＹＥＳとなれば、処理を終了し、画質変更を禁止しない。
【０１２７】
図２０は、第５の実施の形態における画像読取装置が実行する色文字部の画質変更禁止処理を示すフローチャートである。
【０１２８】
ステップＳ７０１において、原稿の両面の画像を読込み、ステップＳ７０３およびＳ７０５で、表面および裏面の色文字部を抽出する。ステップＳ７０７で、抽出された色文字部の解析を実施し、ステップＳ７０９で全ての色文字部をチェックしたかを判定する。
【０１２９】
ステップＳ７０９ですべての色文字部をチェックしていない場合は、ステップＳ７１１で表と裏の色文字部の位置が同じかを判断する。同じ位置となる場合、ステップＳ７１３で、表と裏の色文字部の色相が所定のズレ以上あるか、またはカラーバランスが所定の差以上あるか（表と裏とでカラーバランスが異なるか）を判定する。
【０１３０】
ステップＳ７１３でＹＥＳであれば、一方の面の色相やカラーバランスの設定が他方の面の画像に影響を与える可能性があるため、ステップＳ７１５で画質変更を禁止とする。
【０１３１】
ステップＳ７１１またはＳ７１３でＮＯであれば、ステップＳ７０７に戻り、全ての色文字部の解析が終了するまで、次以降の色文字部の解析を繰り返す。
【０１３２】
ステップＳ７０９でＹＥＳとなれば、処理を終了し、画質変更を禁止しない。
【０１３３】
図２１は、第５の実施の形態における画像読取装置が実行する文字部の画質変更禁止処理を示すフローチャートである。
【０１３４】
ステップＳ８０１において、原稿の両面の画像を読込み、ステップＳ８０３およびＳ８０５で、表面および裏面の文字部および写真部を抽出する。ステップＳ８０７で、抽出された文字部の解析を実施し、ステップＳ８０９で全ての文字部をチェックしたかを判定する。
【０１３５】
ステップＳ８０９ですべての文字部をチェックしていない場合は、ステップＳ８１１で原稿の一方の面の文字部の位置と、他方の面の写真部の位置が同じかを判断する。同じ位置となる場合、片面の写真部の画像が他方の面の文字に、裏写りなどの影響を及ぼす可能性があるため、ステップＳ８１５で画質の変更を禁止とする。
【０１３６】
ステップＳ８１１でＮＯであれば、ステップＳ８０７に戻り、全ての文字部の解析が終了するまで、次以降の文字部の解析を繰り返す。
【０１３７】
ステップＳ８０９でＹＥＳとなれば、処理を終了し、画質変更を禁止しない。
【０１３８】
図２２は、第５の実施の形態における画像読取装置が実行する文字部の画質変更禁止処理を示すフローチャートである。
【０１３９】
ステップＳ９０１において、原稿の両面の画像を読込み、ステップＳ９０３およびＳ９０５で、表面および裏面の文字部を抽出する。ステップＳ９０７で、抽出された文字部の解析を実施し、ステップＳ９０９で全ての文字部をチェックしたかを判定する。
【０１４０】
ステップＳ９０９ですべての文字部をチェックしていない場合は、ステップＳ９１１で表と裏の文字部の位置が同じかを判断する。同じ位置となる場合、ステップＳ９１３で表の文字部の濃度と、裏の文字部の濃度との和が所定値Ｄを超えるか判定する。ＹＥＳであれば、片面の文字が他方の面の文字に、裏写りなどの影響を及ぼす可能性があるため、ステップＳ９１５で画質の変更を禁止とする。
【０１４１】
ステップＳ９１１またはＳ９１３でＮＯであれば、ステップＳ９０７に戻り、全ての文字部の解析が終了するまで、次以降の文字部の解析を繰り返す。
【０１４２】
ステップＳ９０９でＹＥＳとなれば、処理を終了し、画質変更を禁止しない。
【０１４３】
なお、ステップＳ９１３では濃度の和と所定値Ｄとを比較して判断をするようにしたが、文字の濃度の差が所定の差Ｄ’を越える場合にＹＥＳと判断しても良い。
【０１４４】
図２３は、第５の実施の形態における画像読取装置が実行する処理の具体例を示す図である。
【０１４５】
ここでは原稿の表面に、「Ａ」、「Ｂ」、「Ｃ」、「Ｄ」の文字が記載されている状態を示している。原稿の右方向をＸ方向、原稿の下方向をＹ方向とする。
【０１４６】
「Ａ」の文字は、黒字に白抜きの文字（反転文字）である。「Ｂ」の文字は、シアンの色文字である。「Ｃ」の文字は、通常の黒文字である。「Ｄ」の文字は、高濃度の黒文字である。
【０１４７】
原稿の裏面には、「あ」、「い」、「え」の文字、および写真が存在する状態を示している。
【０１４８】
「あ」の文字は、通常の黒文字である。「い」の文字は、赤の色文字である。「え」の文字は、低濃度の黒文字である。写真の部分は、写真領域を示す。
【０１４９】
「Ａ」の裏に、「あ」が位置する。すなわち表と裏とで、「Ａ」の文字部と「あ」の文字部とは同じ位置にある。同様に、「Ｂ」の裏に、「い」が位置する。「Ｃ」の裏に、写真部が位置する。「Ｄ」の裏に、「え」が位置する。
【０１５０】
表と裏とで同じ位置に、このような文字が存在することとなった場合、画質の設定が禁止される。
【０１５１】
すなわち、「Ａ」と「あ」の組み合わせにおいては、図１９のフローチャートにより、ステップＳ６１１で表と裏の同じ位置に文字がある（ＹＥＳ）と判断され、ステップＳ６１３で表の文字部の属性（白抜き文字）と、裏の文字部の属性（通常文字）とが異なる（ＹＥＳ）と判断される。
【０１５２】
表裏の関係になる「Ａ」と「あ」において、「Ａ」が反転（ハッチング）している場合、他方の「あ」に裏写りが起こりうる。また逆に、裏面の「あ」の文字も、白抜き文字部である「Ａ」に影響する可能性がある。この場合は、画質の設定を禁止することで画像が濃くなりすぎないようにするものである。
【０１５３】
また、「Ｂ」と「い」の組み合わせにおいては、図２０のフローチャートにより、ステップＳ７１１で表と裏の同じ位置に色文字がある（ＹＥＳ）と判断され、ステップＳ７１３で表の文字部の色相（青）と、裏の文字部の色相（赤）とでカラーバランスが異なる（ＹＥＳ）と判断される。
【０１５４】
表裏の関係になる「Ｂ」と「い」において、両者の色が異なりすぎる場合、それぞれが他方の面に裏写りする可能性がある。裏写りが生じると文字の色に影響が出てしまう。従って、画質の設定を禁止することで画像が濃くなりすぎないようにするものである。
【０１５５】
また、「Ｃ」と写真部の組み合わせにおいては、図２１のフローチャートにより、ステップＳ８１１で表と裏の同じ位置に文字と写真がある（ＹＥＳ）と判断される。
【０１５６】
表裏の関係になる「Ｃ」と写真部において、写真部が他方の面の文字に裏写りする可能性がある。この場合は、画質の設定を禁止することで画像が濃くなりすぎないようにするものである。
【０１５７】
また、「Ｄ」と「え」の組み合わせにおいては、図２２のフローチャートにより、ステップＳ９１１で表と裏の同じ位置に文字がある（ＹＥＳ）と判断され、ステップＳ９１３で表の文字部の濃度の和（または濃度の差）が大きい（ＹＥＳ）と判断される。
【０１５８】
表裏の関係になる「Ｄ」と「え」において、高濃度の文字「Ｄ」が低濃度の文字「え」に裏写りする可能性がある。この場合は、画質の設定を禁止することで画像が濃くなりすぎないようにするものである。また、「え」の文字部の濃度を低くするような設定がなされると、「え」が写らなくなるため、画質の設定を禁止するものである。
【０１５９】
なお、画質の設定（変更）を禁止することに代えて、所定の濃度を超える画質の設定が行なわれることを禁止してもよい。
【０１６０】
また、図２０の処理において、表面と裏面とで色文字が識別されると、画質の設定（変更）を禁止することに代えて、色相またはカラーバランスに関する画質の設定が行なわれることを禁止してもよい。
【０１６１】
［第６の実施の形態］
【０１６２】
本発明の第６の実施の形態における画像形成装置のハードウェア構成は、第１の実施の形態におけるそれと同じであるためここでの説明は繰り返さない。
【０１６３】
本実施の形態における画像形成装置も、表面および裏面で異なる画質の設定を行なうことが可能である。表面および裏面のそれぞれの文字部の位置などに基づいて、片面の画像に裏の画像が写り込むなどの影響が出ることを防止する方法として、本実施の形態における画像読取装置は、出力形態を変更する。
【０１６４】
図２４は、第６の実施の形態における画像形成装置が実行する出力形態変更を説明するための図である。
【０１６５】
両面原稿を処理する場合において、通常はそれを両面の出力物としてプリントする。
【０１６６】
第６の実施の形態における画像読取装置は、第１〜第５の実施の形態と同様の処理を行ない、
【０１６７】
（１）裏と表とで濃度差が大きくなり、裏写り防止処理を行なう場合（図９のＳ２０５）、
【０１６８】
（２）裏と表とで画質設定を組禁とする場合（図１０のＳ３０９）、または、
【０１６９】
（３）裏面の同じ位置にある画像が、文字に影響を与えるため、画質変更を禁止する場合（図１９のＳ６１５、図２０のＳ７１５、図２１のＳ８１５、図２２のＳ９１５）、
【０１７０】
が生じると、それらの処理に代えて表裏の画像の位置をずらす処理を行なう。
【０１７１】
すなわち、両面コピーにおいて画質設定が反対面の画質に影響をする場合は、反対面のない片面出力に変更を行なったり、２ｉｎ１（他、Ｎｉｎ１）出力に変更を行なったり、表と裏の位置関係が変化する週刊誌綴じ出力に変更を行なったりするものである。これにより、ユーザが所望とする画質を設定することができ、かつ画質設定による悪影響を防ぐことが可能となる。
【０１７２】
また、出力形態の変更を行なうときには、ユーザに所望のものを選択させても良いし、デフォルトの出力形態で出力を行なっても良い。
【０１７３】
なお、図１０のステップＳ３０９では組禁を実施し、ステップＳ３１１において、図２４のように出力形態を変更することをユーザに促す処理を行なっても良い。
【０１７４】
また、ここでは出力形態（出力方法）を変更することとしたが、両面コピーにおいて画質設定が反対面の画質に影響をする場合は、紙（原稿の紙、またはコピー用紙）の変更を促すようにしてもよい。
【０１７５】
［実施の形態における効果］
【０１７６】
以上のように、画像読取装置は、表と裏とで個別に画質を設定することが可能な操作部と、操作部によって指定された表と裏の画質に応じて、読取った両面原稿の画像を印字するために、画像処理を行う画像形成部とを備えている。
【０１７７】
操作部においては、原稿の表と裏とで、原稿モード、画質モード（カラーバランス、シャープネス、コントラスト、明度、色相、濃度等）、およびカラーモードが少なくとも個別に切り替え可能であることが好ましい。
【０１７８】
これにより、ユーザが求めるように、表と裏とで別々の画質で読取りデータを取得することができる。また、そのように読取られたデータでの画像出力が可能となる。
【０１７９】
また、設定内容が画質に影響することを防ぐことができ、ユーザの意図しない画像が出力されることが防止される。
【０１８０】
［その他］
【０１８１】
なお、原稿の紙の種類（厚さなど）は、裏写りに影響する。裏写りが生じる可能性がある場合には、現在の原稿の紙種では裏写りが発生する場合がある旨、ユーザに表示するようにしてもよい。また、このような表示は原稿の紙種を判断することで行なってもよい。
【０１８２】
上述の実施の形態における処理は、ソフトウエアによって行なっても、ハードウエア回路を用いて行なってもよい。
【０１８３】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１８４】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８５】
【図１】第１の実施の形態における画像形成装置の概観を示す図である。
【図２】自動原稿送り装置を含む画像読取部１の構成を示す図である。
【図３】図１の画像形成装置に含まれる制御部を示す図である。
【図４】画像形成装置の機能構成を示すブロック図である。
【図５】記憶部３０５に格納される原稿種類に応じた画質設定、および紙種に応じた画質設定を示す図である。
【図６】パネル操作部３２５の液晶タッチパネルに表示される、原稿の表と裏の画質を設定する画面を示す図である。
【図７】両面の画質の設定後に液晶タッチパネルに表示される、原稿の置き方を説明するメッセージ表示画面を示す図である。
【図８】画像形成装置のコピー時の動作を示すフローチャートである。
【図９】図８の裏写り防止調整処理（Ｓ１０３）の内容を示すフローチャートである。
【図１０】第２の実施の形態における画像読取装置の実行する画像設定内容の組み合わせ禁止（組禁）処理を示すフローチャートである。
【図１１】図１０のステップＳ３０９で表示される組禁を示すメッセージ画面を示す図である。
【図１２】図１０のステップＳ３１１で表示される設定変更を促すメッセージ画面を示す図である。
【図１３】組禁発生時のメッセージの切り替えを設定するための画面を示す図である。
【図１４】第３の実施の形態における画像読取装置の実行する紙種に基づく画質切り替え処理を示すフローチャートである。
【図１５】図１４のステップＳ４０９で用いられる紙種判断テーブルを示す図である。
【図１６】第３の実施の形態における画像読取装置の実行する原稿種類に基づく画質切り替え処理を示すフローチャートである。
【図１７】第４の実施の形態における画像読取装置の全体構成を示すブロック図である。
【図１８】第４の実施の形態における画像読取装置が実行する文字識別機能禁止処理を示すフローチャートである。
【図１９】第５の実施の形態における画像読取装置が実行する文字部の画質変更禁止処理を示すフローチャートである。
【図２０】第５の実施の形態における画像読取装置が実行する色文字部の画質変更禁止処理を示すフローチャートである。
【図２１】第５の実施の形態における画像読取装置が実行する文字部の画質変更禁止処理を示すフローチャートである。
【図２２】第５の実施の形態における画像読取装置が実行する文字部の画質変更禁止処理を示すフローチャートである。
【図２３】第５の実施の形態における画像読取装置が実行する処理の具体例を示す図である。
【図２４】第６の実施の形態における画像読取装置が実行する出力形態変更を説明するための図である。
【符号の説明】
【０１８６】
１  画像読取部
３  画像処理部
５  画像形成部
７  給紙部
９  排紙部
１０１  原稿搬送装置
１０３  読み取りユニット
２００  原稿
２０１  給紙トレイ
２０４  排出トレイ
２０５  プラテンガラス
２０６  露光装置
２２０  給紙ローラー
２２６  排紙ローラー
３００  制御部
３０１  画像処理部
３０３  画像形成部
３０５  記憶部
３０７  画像出力部
３０９  ファクシミリ制御部
３２３  表示部
３２５  パネル操作部
３２５ａ  条件設定キー
４０１  操作部
４０３  紙種・原稿判断部
４０３ａ  紙種判断部
４０３ｂ  透過光量検出部
４０３ｃ  領域判別部
４０３ｄ  原稿種類判断部
４０５  画像形成部
５０１  文字識別部
５０３  文字情報格納部
【図１】
0004924443.tif 000002
【図２】
0004924443.tif 000003
【図３】
0004924443.tif 000004
【図４】
0004924443.tif 000005
【図５】
0004924443.tif 000006
【図６】
0004924443.tif 000007
【図７】
0004924443.tif 000008
【図８】
0004924443.tif 000009
【図９】
0004924443.tif 000010
【図１０】
0004924443.tif 000011
【図１１】
0004924443.tif 000012
【図１２】
0004924443.tif 000013
【図１３】
0004924443.tif 000014
【図１４】
0004924443.tif 000015
【図１５】
0004924443.tif 000016
【図１６】
0004924443.tif 000017
【図１７】
0004924443.tif 000018
【図１８】
0004924443.tif 000019
【図１９】
0004924443.tif 000020
【図２０】
0004924443.tif 000021
【図２１】
0004924443.tif 000022
【図２２】
0004924443.tif 000023
【図２３】
0004924443.tif 000024
【図２４】
0004924443.tif 000025